(57)【特許請求の範囲】
【請求項１】
複数の単位パネルを組合わせて形成され、所定の単位寸法Ａの整数倍Ｎの高さ寸法に設定された開口部を有する壁パネルと、
前記単位寸法Ａの非整数倍の高さ寸法に設定され、前記壁パネルの上下端に取付けられた土台部および胴差部と、
前記壁パネルの外表面に取付けられ、前記所定の単位寸法Ａの整数倍Ｍ（Ｍ＜Ｎ）の間隔に設定された横目地模様を有する第１の外装部材と、
前記第１の外装部材と予め一体に形成され、前記土台部および胴差部に取付けられる前記第１の外装部材の横目地模様と異なる模様を有する第２の外装部材と、
を備えることを特徴とする外装材付き壁パネル。
【発明の詳細な説明】
【０００１】
【産業上の利用分野】
本発明は、外装材付き壁パネルに関し、特に、横目地模様を整列することのできる外装材付き壁パネルに関する。
【０００２】
【従来の技術】
従来より床パネル、壁パネル、屋根パネル等の建築用のパネルを組み付けて建物を構築する工法が知られている。
【０００３】
このような工法を用いて外壁を構築する場合、基礎上に半土台を取付けこの半土台上に壁パネルを立設し、さらに階上の外壁を構築する場合には階下の壁パネル上に胴差を取付けこの胴差上に階上の壁パネルを立設するようにしている。
【０００４】
そして、前述のようにして構築した壁パネルや、半土台および胴差の外表面に施工現場で外装材を貼り付けて外壁面を形成するようにしている。
【０００５】
また、外装材に横目地模様を有するものを用いる場合には、壁パネルの高さ寸法と、半土台および胴差の高さ寸法等を含めた寸法内で横目地が均等になるように横目地の間隔を設定するようにしていた。
【０００６】
【発明が解決しようとする課題】
従来のように、横目地模様を有する外装材を用いる場合に、半土台や胴差を含めた壁面の高さ寸法を均等に割り付けた横目地の間隔に設定した場合、開口部を有しない壁面においては、横目地が均等に割り付けられて整列する状態となるが、窓や出入口等の開口部を有する壁面にあっては、開口部の上下において横目地が中途半端な位置にきてしまい、横目地が途中で切れて、見栄えが悪くなってしまう。
【０００７】
すなわち、壁パネルは、所定の単位寸法の整数倍の高さ寸法に設定されおり、開口部の位置も壁パネルの高さ寸法と同様に所定の単位寸法の整数倍の高さ寸法に設定されるようになっているのに対し、半土台や胴差は前述の所定の単位寸法の非整数倍の高さ寸法に設定されているため、外装材の横目地の間隔を半土台や胴差を含めた壁面の高さ寸法を均等に割り付けた間隔に設定すると、その横目地の間隔が所定の単位寸法の非整数倍に設定されることとなり、このような横目地模様を有する外装材を開口部を有する壁面に取付けた場合、開口部の位置が所定の単位寸法の整数倍の位置に設定されているため、開口部の上下位置において横目地模様の目地位置が一致せずに開口部回りにおいて横目地が途中で切れてしまい、横目地が整列せずに、見栄えの悪い状態が生じるものであった。
【０００８】
本発明は、前記従来の問題点に着目してなされたもので、その目的は、開口部の上下において横目地が切れることのない、外観上良好な外装材付き壁パネルを提供することにある。
【０００９】
【課題を解決するための手段】
前記目的を達成するため、本発明は、
複数の単位パネルを組合わせて形成され、所定の単位寸法Ａの整数倍Ｎの高さ寸法に設定された開口部を有する壁パネルと、
前記単位寸法Ａの非整数倍の高さ寸法に設定され、前記壁パネルの上下端に取付けられた土台部および胴差部と、
前記壁パネルの外表面に取付けられ、前記所定の単位寸法Ａの整数倍Ｍ（Ｍ＜Ｎ）の間隔に設定された横目地模様を有する第１の外装部材と、
前記第１の外装部材と予め一体に形成され、前記土台部および胴差部に取付けられる前記第１の外装部材の横目地模様と異なる模様を有する第２の外装部材と、
を備えることを特徴としている。
【００１３】
【作用】
前記構成の本発明にあっては、所定の単位寸法Ａの整数倍Ｎの高さ寸法に設定された壁パネルに対し取付けられる第１の外装部材に前記単位寸法Ａの整数倍Ｍの間隔に設定された横目地模様を形成し、単位寸法Ａの非整数倍の高さ寸法に設定された部材に対し取付けられる第２の外装部材に第１の外装部材の横目地模様と異なる模様を形成することにより、壁パネルの上下端に取付けられる部材の存在に係わらず、第１の外装部材の横目地を壁パネル内で均等に割り付けて、横目地を開口部の存在の有無に係わらず整列させることができる。
【００１４】
また、開口部を有する壁体の壁パネル外表面に取付けられる第１の外装部材に横目地模様を形成し、土台部および胴差部に取付けられる第２の外装部材に第１の外装部材の横目地模様と異なる模様を形成することにより、土台部や胴差部の存在にかかわりなく、壁パネルに取付けられる第１の外装部材を横目地模様とし、開口部回りにおいても第２の外装部材と関わりなく横目地を整列させることができる。
【００１５】
さらに、第１の外装部材と第２の外装部材を予め一体に形成することにより、横目地模様を整列させた状態で容易に外装材の取付けを行うことができる。
【００１６】
また、開口部を有する壁パネルに対し横目地模様を整列させた第１の外装部材を取付けた外装材付き壁パネルとすることにより、開口回りにおいても、横目地模様が成立した状態の外壁を容易かつ短時間で構築することができる。
【００１７】
【実施例】
以下、本発明の好適な実施例について、図面を参照して詳細に説明する。
【００１８】
図１〜図３は、本発明の一実施例に係る外装材付き壁パネルを用いて壁体を構築する状態を示す図である。
【００１９】
本実施例の外装材付き壁パネル１０は壁パネル１２と、土台部としての半土台１４と胴差部としての胴差１６と第１の外装部材１８および第２の外装部材２０とから構成される外装材２２とを備え、図２に示すように、基礎２４上に配設した１階の床パネル上に立設され、その上部には２階の床パネル２８が配設されるようになっている。
【００２０】
壁パネル１２は、複数の単位パネル３０を組合わせて形成されたもので、この複数の単位パネル３０に囲まれた部分に窓用の開口部３２が形成された状態となっている。また、この壁パネル１２は、所定の単位寸法Ａの整数倍Ｎの高さ寸法ｈ１に設定され、また、窓用の開口部３２の上下位置から壁パネル１２の上下端までの距離ｌ１，ｌ２が前述の所定の単位寸法Ａの整数倍となる位置に設定されるようになっている。
【００２１】
さらに窓用の開口部３２の高さｈ２も同様に所定の単位寸法Ａの整数倍の寸法に設定されるようになっている。ここで所定の単位寸法Ａは、例えば１５１．６６６ｍｍとされている。
【００２２】
半土台１４は、壁パネル１２のほぼ半分の厚さを有するもので、壁パネル１２の下端に壁パネル１２の外表面とその外表面が一致するように取付けられている。
【００２３】
胴差１６は、前記半土台１４と同様に、壁パネル１２のほぼ半分の厚さとされ、壁パネル１２の上端に壁パネル１２の外表面とその外表面が一致するように取付けられている。
【００２４】
また、これら半土台１４および胴差１６は、床パネル２６，２８の外端面に当接されるもので、床パネル２６，２８の厚さの単位寸法Ｂの整数倍に設定され、前述の壁パネル１２の単位寸法Ａに対して非整数倍に設定されている。この半土台１４および胴差１６の単位寸法Ｂは、例えば９０ｍｍに設定されている。
【００２５】
外装材２２を構成する第１の外装部材１８は、壁パネル１２の外表面に取付けられるもので、図１に示すように縦方向に長い複数枚のものを横方向に並べて張り付けられるようになっている。この第１の外装部材１８の外表面には、横目地模様３４が形成され、この横目地模様の横目地の間隔は前述の壁パネル１２における所定の単位寸法Ａの整数倍Ｍ（Ｍ＜Ｎ）に設定されている。
【００２６】
従って、この第１の外装部材１８を壁パネル１２の外表面に貼り付けていけば、図１に示すように開口部３２の上下位置においても、横目地がかけるようなことがなく、横目地を開口部回りにおいても確実に横方向に整列させることができる。
【００２７】
外装材２２を構成する第２の外装部材２０は、半土台１４および胴差１６の外表面に取付けられるもので、半土台１４および胴差１６の高さ寸法に対応する高さに設定されている。この第２の外装部材２０の外表面には、第１の外装部材１８とは異なる模様、本実施例においては縦目地模様３６が形成されるようになっている。
【００２８】
外装材２２を前述のように構成することにより、壁パネル１２の上下端に壁パネル１２の単位寸法Ａとは異なる単位寸法Ｂで設定された半土台１４や胴差１６を有する場合であっても、壁パネル１２の外表面に取付けられる第１の外装部材１８に形成された横目地模様３４の横目地を開口部の形成されていない壁パネルは勿論のこと開口部３２が形成された壁パネル１２の場合であっても、開口部３２回りにおいて横目地を欠落させることなく横方向に整列した状態で目地を形成することができる。
【００２９】
しかも、壁パネル１２，半土台１４，胴差１６および外装材２２を予め一体に形成した外装部材付き壁パネル１０を床パネル２６上に立設すれば、外装処理の施された壁体を容易かつ短時間に構築することができる。
【００３０】
図４は他の実施例を示す図である。この実施例では、掃き出し用の開口部３８を有する外装材付き壁パネル１０が示されており、この開口部３８の上端部においても、前記実施例と同様に、第１の外装部材１８の外表面に形成した横目地模様３４の横目地が途切れることなく横方向に整列した状態で形成されることとなる。
【００３１】
図５は、本発明のさらに他の実施例を示す図である。
【００３２】
この実施例では、基礎２４上に１階の床パネル２６を配設し、その床パネル２６の外側端に半土台１４を取付け、この床パネル２６および半土台１４上にまたがる状態で、複数の単位パネル３０を組合わせて窓用の開口部３２を形成した壁パネル１２を立設し、この壁パネル１２上に２階の床パネル２８を配設し、その外側端に胴差１６を取り付けて１階の壁体４０を構成するようにしている。
【００３３】
そして、この壁体４０に外装材２２を張り付けるようにしている。
【００３４】
外装材２２は、前記実施例と同様に、第１の外装部材と第２の外装部材とから構成され、第１の外装部材１８は横目地模様を有し、壁パネル１２の外表面に取り付けられ、第２の外装部材２０は第１の外装部材１８と異なる模様、例えば縦目地模様を有し、半土台１４および胴差１６の外表面に取付けられるようになっている。
【００３５】
従って、横目地模様を有する第１の外装部材１８は窓用の開口部３２の上下端位置においても横目地が途切れることなく横方向に整列した状態で形成されることとなる。
【００３６】
なお、本実施例のように壁体４０を構築した後に第１の外装部材１８および第２の外装部材２０からなる外装材２２を後付けする場合にあっては、図４、図５のように第１の外装部材１８および第２の外装部材２０を別体で形成し、それぞれ個別に壁体４０に取付けるようにしてもよく、あるいは、図１〜図３のように予め第１の外装部材１８と第２の外装部材２０とを一体に形成した外装材２２としておき、この一体の外装材２２を壁体４０の外表面に取り付けるようにすることもできる。
【００３７】
本発明は、前記各実施例に限定されるものではなく、本発明の要旨の範囲内において種々の変形実施が可能である。
【００３８】
例えば、前記各実施例においては、第２の外装部材を縦目地模様とした場合について説明したが、この例に限らず、第２の外装部材の模様は、第１の外装部材の横目地模様と異なるものであれば、横目地模様であってもよく、あるいは他の模様とすることもできる。
【００３９】
また、前記実施例においては、１階の壁体の場合を示したが、この例に限らず、階上の壁体についても同様に適用し得るものである。
【００４０】
【発明の効果】
本発明によれば、所定の単位寸法Ａの整数倍Ｎの高さ寸法に設定された壁パネルに対し取付けられる第１の外装部材に前記単位寸法Ａの整数倍Ｍの間隔に設定された横目地模様を形成し、単位寸法Ａの非整数倍の高さ寸法に設定された部材に対し取付けられる第２の外装部材に第１の外装部材の横目地模様と異なる模様を形成することにより、壁パネルの上下端に取付けられる部材の存在に係わらず、第１の外装部材の横目地を壁パネル内で均等に割り付けて、横目地を開口部の存在の有無に係わらず整列させることができるという効果がある。
【００４１】
また、開口部を有する壁体の壁パネル外表面に取付けられる第１の外装部材に横目地模様を形成し、土台部および胴差部に取付けられる第２の外装部材に第１の外装部材の横目地模様と異なる模様を形成することにより、土台部や胴差部の存在にかかわりなく、壁パネルに取付けられる第１の外装部材を横目地模様とし、開口部回りにおいても第２の外装部材と関わりなく横目地を整列させることができるという効果がある。
【００４２】
さらに、第１の外装部材と第２の外装部材を予め一体に形成することにより、横目地模様を整列させた状態で容易に外装材の取付けを行うことができるという効果がある。
【００４３】
また、開口部を有する壁パネルに対し横目地模様を整列させた第１の外装部材を取付けた外装材付き壁パネルとすることにより、開口回りにおいても、横目地模様が成立した状態の外壁を容易かつ短時間で構築することができるという効果がある。
【図面の簡単な説明】
【図１】本発明の一実施例に係る外装材付き壁パネルを示す正面図である。
【図２】図１の外装材付き壁パネル１０を用いて壁体を構成した状態を示す断面図である。
【図３】図１および図２の外装材付き壁パネルの断面図である。
【図４】本発明の他の実施例に係る外装材付き壁パネルを示す正面図である。
【図５】本発明の他の実施例に係る外装材を壁体に取り付ける状態を示す断面図である。
【符号の説明】
１０  外装材付き壁パネル
１２  壁パネル
１４  半土台
１６  胴差
１８  第１の外装部材
２０  第２の外装部材
２２  外装材
３０  単位パネル
３２  窓用の開口部
３４  横目地模様
３６  縦目地模様
３８  開口部
４０  壁体
ｈ１  壁パネルの高さ寸法
【図１】
0003600291.tif 000002
【図２】
0003600291.tif 000003
【図３】
0003600291.tif 000004
【図４】
0003600291.tif 000005
【図５】
0003600291.tif 000006